(57)【要約】      （修正有）【課題】重量バランスがとれるマッサージ式緩衝対流エアクッションを提供する。【解決手段】重量バランスがとれるマッサージ式緩衝対流エアクッションであって、クッション体１と対流気室２とを含み、対流気室２がクッション体１の表面に均一に設けられ、且つクッション体１と一体成形し、対流気室２内に気体を充填しており、対流気室２が空気袋２１を含み、隣り合う空気袋２１間に対流通路２２を設け、隣り合う空気袋２１間に通気隙間２３を設ける。クッション体１の表面に対流気室２を設け、重量荷担部位が対流気室２と直接接触することで、極めて強い重量減少、減圧緩衝作用を有し、重物の重量荷担部位に対する圧迫を効果的に緩和し、対流気室２が複数の空気袋２１で構成され、気体が対流通路２２を通過することによって、圧力を効果的に分散し、荷担した重量を複数の互いに連通した空気袋２１を通じて重量荷担部位に対するマッサージや重量減少に変換する。【選択図】図１
0003220621.tif 000002
【実用新案登録請求の範囲】
【請求項１】
重量バランスがとれるマッサージ式緩衝対流エアクッションであって、
クッション体と対流気室とを含み、前記対流気室がクッション体の表面に均一に設けられ、且つ前記クッション体と一体成形し、前記対流気室内に気体を充填しており、前記対流気室が空気袋を含み、隣り合う前記空気袋間に対流通路を設け、隣り合う前記空気袋間に通気隙間を設ける
ことを特徴とする重量バランスがとれるマッサージ式緩衝対流エアクッション。
【請求項２】
前記クッション体、前記対流気室は、いずれも展延性に富んだ弾性材料で製造されることを特徴とする請求項１に記載の重量バランスがとれるマッサージ式緩衝対流エアクッション。
【請求項３】
前記対流気室の数量は、１個以上とし、前記空気袋の数量が２個以上とすることを特徴とする請求項１に記載の重量バランスがとれるマッサージ式緩衝対流エアクッション。
【請求項４】
前記対流気室は、各々前記クッション体の表面の両側上に設けられることを特徴とする請求項１に記載の重量バランスがとれるマッサージ式緩衝対流エアクッション。
【考案の詳細な説明】
【技術分野】
【０００１】
本考案は、緩衝材分野に関し、特に、重量バランスがとれるマッサージ式緩衝対流エアクッションに関する。
【背景技術】
【０００２】
日常の生活において、我々はリュックサック、ウエストバッグ、ショルダーバッグ、アームバッグ等のバッグ製品及び靴の中敷きが使用され、従来のバッグ製品が往々にしてその収納の機能性のみを重視し、デザイン又は購買時にリュックサックに何個のポケットがあり、どのくらい物を収納できるか或いは外観がどうかをよく考えているが、人々のリュックサックを使用した時の快適性を配慮することが非常に少なく、また靴の中敷きのデザインも往々にしてその通気性のみを考慮するが、足裏に対する快適性の設計が無視されている。
【０００３】
バッグ類製品を使用するとき、荷担する重量は、一般的に人体の肩部、腰部、首部又は腕等に集中し、バッグ内に収納した物が比較的多いとき或いは長時間使用したとき、これらの部位が長時間圧力を受けることで、局部の血流が悪くなって疼痛感をもたらし、且つ接触している部位が通気しないため、容易に汗をかき且つ効果的に放熱できないため、人々に極め大きな不快感を与え、皮膚の健康にも影響を及ぼし、健康の落とし穴がある。
【０００４】
靴の中敷きは、靴内部底面に設けられ、履く時に荷担する重量は足裏に集中し、歩くとき、力を受ける点が順次に踵から足の付け根の辺りまでとし、力を受ける点が絶え間なく変化するため、長時間歩くと足の付け根の辺りの各部位に異なる圧力が生じることで、痛みが生まれてしまい、従来靴の中敷きは、足裏の異なる部位に対してマッサージ、重量減少を行う機能を持っていない。
【考案の概要】
【考案が解決しようとする課題】
【０００５】
上記問題を解決するため、本考案は、重量荷担部位に対して効果的に振動減少、減圧緩衝を行い、且つ総合的マッサージ効果、重量減少を有し、効果的に痛みを減少する重量バランスがとれるマッサージ式緩衝対流エアクッションを提供する。
【課題を解決するための手段】
【０００６】
上記目的を達成するため、本考案が用いる技術的解決策としては、重量バランスがとれるマッサージ式緩衝対流エアクッションであって、クッション体と対流気室とを含み、前記対流気室がクッション体の表面に均一に設けられ、且つクッション体と一体成形し、前記対流気室内に気体を充填しており、前記対流気室が空気袋を含み、隣り合う空気袋間に対流通路を設け、隣り合う空気袋間に通気隙間を設ける。
【０００７】
本実施例において、前記クッション体、対流気室は、いずれも展延性に富んだ弾性材料で製造される。
【０００８】
本実施例において、前記対流気室の数量は、１個以上とし、前記空気袋の数量が２個以上とする。
【０００９】
本実施例において、前記対流気室は、各々クッション体表面の両側上に設けられる。
【考案の効果】
【００１０】
本考案は、クッション体の表面に対流気室を設け、対流気室内に気体を充填しており、使用する時、重量荷担部位が対流気室と直接接触し、気体の緩衝作用を通じて、極めて強い重量減少、減圧緩衝作用を有し、重物の重量荷担部位に対する圧迫を効果的に緩和し、対流気室が複数の空気袋で構成され、且つ隣り合う空気袋が対流通路を通じて互いに連通し、重量荷担時、気体が対流通路を通過することによって、圧力を効果的に分散し、荷担した重量を複数の互いに連通した空気袋によって重量荷担部位に対するマッサージに変換し、重量荷担部位のストレイン及び痛みを大幅に減少でき、また空気袋間に通気隙間を形成するため、重量荷担部位との接触面積を効果的に減らすと共に良好な通気効果を持ち、リアルタイムで熱を発散して、快適性を向上できる。
【図面の簡単な説明】
【００１１】
【図１】本考案の構造を示す模式図である。
【図２】本考案の実施例を示す模式図である。
【図３】本考案を靴の中敷きとして用いた実施例を示す模式図である。
【図４】本考案の別の実施例の側面図である。
【考案を実施するための形態】
【００１２】
図１乃至図４を参照すると、本考案に係る重量バランスがとれるマッサージ式緩衝対流エアクッションは、クッション体１と対流気室２とを含み、前記対流気室２がクッション体１の表面に均一に設けられ、且つクッション体１と一体成形し、前記対流気室２内に気体を充填しており、前記対流気室２が空気袋２１を含み、隣り合う空気袋間に対流通路２２を設け、隣り合う空気袋２１間に通気隙間２３を設ける。
【００１３】
従来技術に比べ、本考案は、クッション体１の表面に対流気室２を設け、対流気室２内に気体を充填しており、使用する時、重量荷担部位が対流気室２と直接接触し、気体の緩衝作用を通じて、極めて強い重量減少、減圧緩衝作用を有し、重物の重量荷担部位に対する圧迫を効果的に緩和し、対流気室２が複数の空気袋２１で構成され、且つ隣り合う空気袋２１が対流通路２２を通じて互いに連通し、歩く又は走る過程中で受けた力が変更したとき、空気袋２１内の気体が対流通路を通過することによって、圧力を異なる方向に効果的に分散し、荷担した重量を複数の互いに連通した空気袋２１によって重量荷担部位に対するマッサージに変換し、身体の重量荷担部位の血流を保持し、重量荷担部位のストレイン及び痛みを大幅に減少でき、また空気袋２１間に通気隙間２３を形成するため、重量荷担部位との接触面積を効果的に減らすと共に良好な通気効果を持ち、リアルタイムで熱を発散して、快適性を向上できる。
【００１４】
本実施例において、前記クッション体１、対流気室２は、いずれも展延性に富んだ弾性材料で製造され、具体的にはプラスチック材料、ゴム材料、シリコン材料、皮革材料、布類材料等の１種類又は多種が挙げられる。
【００１５】
上記解決策を用い、例えばプラスチック材料、ゴム材料、シリコン材料、皮革材料、布類材料等といった展延性に富んだ弾性材料でクッション体及び対流気室を製造し、従来のサンドイッチ構造材料或いは他の弾性布地に比べ、更に重量荷担部位の減圧効果を向上し、使用時の快適性をアップできる。
【００１６】
本実施例において、前記対流気室２は、各々クッション体１表面の両側上に設けられる。
【００１７】
上記解決策を用い、クッション体表面の両側に対流気室を設けることによって、製品の弾性を増大できることで、使用時の快適性もアップする。
【００１８】
本考案は、例えばリュックサックの肩ベルト、ウエストバッグのウエストベルト、斜め掛けバッグの肩ベルト等とったバッグ類製品の重量荷担部位にも応用でき、クッション体１をバッグ類製品の重量荷担部位、例えば肩ベルト、ウエストベルト上に固設でき、更にクッション体１をリュックサックの下側に設けることができ、リュックサックを背負うとき、対流気室２を人の腰部位置にフィットさせて、対流気室２を身体上の重量荷担部位と対向させるだけでよく、同時もクッション体１の前後両端の両側に固定紐３を設け、固定紐３間にマジックテープ（登録商標）を設けて連接し、固定紐３を通じて、クッション体１をバッグ類製品の重量荷担部位に設けるだけでよく（図２）、同時に、使用に当たっての具体的な需要に応じて、クッション体１及び空気袋２１を例えば円形、正方形、楕円形、三角形等の異なる形状で製造することで、重量荷担部位の異なる形状に適応し、取り外して使用することもできるので非常に便利である。本実施例において、対流気室２を３個設け、各対流気室２上に９個の隣接する空気袋２１を設ける。
【００１９】
このほかに、別の具体的実施例として、本考案を靴の中敷き（図３）とし製造し、具体的にはクッション体１を靴の中敷きの形状として設計し、クッション体１の上下両端に各々対流気室２を設け、上端に位置する対流気室２に９個の空気袋２１を設け、空気袋２１間が対流通路２２を通じて連接し、下端に位置する対流気室２に６個の空気袋２１を設け、空気袋２１間が対流通路２２を通じて連接し、空気袋２１が各々足裏中の付け根及び足裏の各経穴部位の形状と対応し、歩くとき、空気袋２１が足裏の異なる部位の圧力を受けたとき、空気袋２１内の気体が対流通路２２を経由して力を受けていない空気袋２１に流れ、圧力を分散させ、足裏の上下両部分に対するマッサージを実現し、疲労感を効果的に減らし、重量も軽減し、快適性をアップする。また対流気室２を上下の両部分に分けて設けることは、力を受けたとき、気体が一方向へ流され、マッサージ機能が低下するのを防止できる。
【００２０】
考案の詳細な説明の項における具体的な実施形態は、あくまでも本考案の技術内容を明らかにするものであって、本考案の範囲を限定することなく、本考案の設計精神を逸脱しない前提において、当業者が本考案の技術的解決策に対して行う様々な変形及び改良は、均しく本考案の実用新案登録請求の範囲で確定する保護範囲内に入る。
【符号の説明】
【００２１】
１    クッション体
２    対流気室
２１  空気袋
２２  対流通路
２３  通気隙間
３    固定紐
【図１】
0003220621.tif 000003
【図２】
0003220621.tif 000004
【図３】
0003220621.tif 000005
【図４】
0003220621.tif 000006